【誤訳訂正書】
【提出日】平成24年8月2日(2012.8.2)
【誤訳訂正１】
【訂正対象書類名】特許請求の範囲
【訂正対象項目名】全文
【訂正方法】変更
【訂正の内容】
【特許請求の範囲】
【請求項１】
直交周波数分割多重化（ＯＦＤＭ）無線通信システムにおける移動局によって、フィードバック情報を転送する方法であって、
前記方法は、
基地局から上り回線フィードバックチャネルと関連した情報を受信することと、
前記情報を用いて前記基地局にプライマリー上り回線フィードバックチャネル及びセカンダリー上り回線フィードバックチャネルを転送することと、を含み、
前記情報は、前記プライマリー上り回線フィードバックチャネル及び前記セカンダリー上り回線フィードバックチャネルに対する制御パラメータを含み、
前記プライマリー上り回線フィードバックチャネルは、６個の上り回線タイルからなり、そのうちのｍ番目の上り回線タイルは、下記の構造
【数１Ａ】
2008526091.tif 000001
を有しており、
前記プライマリー上り回線フィードバックチャネルは、ｐビットペイロードを運搬するために用いられ、かつ、８直交（Ｑｕａｄｒａｔｕｒｅ）位相遷移キーイング（ＱＰＳＫ）シンボルを用いて直交変調され、
Ｍｎ，８ｍ＋ｋ（０≦ｋ≦７）は、ｎ番目のプライマリー上り回線フィードバックチャネルにおけるｍ番目の上り回線タイルのｋ番目のＱＰＳＫシンボルであり、
前記セカンダリー上り回線フィードバックチャネルは、６個の上り回線タイルからなり、そのうちのｍ番目の上り回線タイルは、下記の構造
【数１Ｂ】
2008526091.tif 000002
を有しており、
前記セカンダリー上り回線フィードバックチャネルは、ｑビットペイロード（ｑ＜ｐ）を運搬するために用いられ、かつ、ＱＰＳＫシンボルを用いて直交変調され、
Ｍｎ，４ｍ＋ｋ（０≦ｋ≦３）は、ｎ番目のセカンダリー上り回線フィードバックチャネルにおけるｍ番目の上り回線タイルのｋ番目のＱＰＳＫシンボルである、方法。
【請求項２】
前記ｐは、６である、請求項１に記載の方法。
【請求項３】
前記ｑは、４である、請求項１に記載の方法。
【請求項４】
前記セカンダリー上り回線フィードバックチャネルに対する前記４ビットペイロードは、下記の表のように前記上り回線タイルにマッピングされ、
【表１Ａ】
2008526091.tif 000003
ここで、
【表１Ｂ】
2008526091.tif 000004
であり、ここで、
【数１Ｃ】
2008526091.tif 000005
である、請求項３に記載の方法。
【請求項５】
直交周波数分割多重化（ＯＦＤＭ）無線通信システムにおける基地局によって、フィードバック情報を受信する方法であって、
前記方法は、
上り回線フィードバックチャネルと関連した情報を移動局に転送することと、
前記情報を用いて前記移動局からプライマリー上り回線フィードバックチャネル及びセカンダリー上り回線フィードバックチャネルを受信することと、を含み、
前記情報は、前記プライマリー上り回線フィードバックチャネル及び前記セカンダリー上り回線フィードバックチャネルに対する制御パラメータを含み、
前記プライマリー上り回線フィードバックチャネルは、６個の上り回線タイルからなり、そのうちのｍ番目の上り回線タイルは、下記の構造
【数１Ｄ】
2008526091.tif 000006
を有しており、
前記プライマリー上り回線フィードバックチャネルは、ｐビットペイロードを運搬するために用いられ、かつ、８直交（Ｑｕａｄｒａｔｕｒｅ）位相遷移キーイング（ＱＰＳＫ）シンボルを用いて直交変調され、
Ｍｎ，８ｍ＋ｋ（０≦ｋ≦７）は、ｎ番目のプライマリー上り回線フィードバックチャネルにおけるｍ番目の上り回線タイルのｋ番目のＱＰＳＫシンボルであり、
前記セカンダリー上り回線フィードバックチャネルは、６個の上り回線タイルからなり、そのうちのｍ番目の上り回線タイルは、下記の構造
【数１Ｅ】
2008526091.tif 000007
を有しており、
前記セカンダリー上り回線フィードバックチャネルは、ｑビットペイロード（ｑ＜ｐ）を運搬するために用いられ、かつ、ＱＰＳＫシンボルを用いて直交変調され、
Ｍｎ，４ｍ＋ｋ（０≦ｋ≦３）は、ｎ番目のセカンダリー上り回線フィードバックチャネルにおけるｍ番目の上り回線タイルのｋ番目のＱＰＳＫシンボルである、方法。
【請求項６】
前記ｐは、６である、請求項５に記載の方法。
【請求項７】
前記ｑは、４である、請求項５に記載の方法。
【請求項８】
前記セカンダリー上り回線フィードバックチャネルに対する前記４ビットペイロードは、下記の表のように前記上り回線タイルにマッピングされ、
【表１Ｃ】
2008526091.tif 000008
ここで、
【表１Ｄ】
2008526091.tif 000009
であり、ここで、
【数１Ｆ】
2008526091.tif 000010
である、請求項７に記載の方法。
【請求項９】
直交周波数分割多重化（ＯＦＤＭ）無線通信システムにおいてフィードバック情報を転送するように構成された移動局であって、
前記移動局は、プロセッサと、前記プロセッサの制御下で外部との間で無線信号を転送及び受信する無線周波数（ＲＦ）モジュールとを備え、
前記プロセッサは、
基地局から上り回線フィードバックチャネルと関連した情報を受信することと、
前記情報を用いて前記基地局にプライマリー上り回線フィードバックチャネル及びセカンダリー上り回線フィードバックチャネルを転送することと、を行うように構成され、
前記情報は、前記プライマリー上り回線フィードバックチャネル及び前記セカンダリー上り回線フィードバックチャネルに対する制御パラメータを含み、
前記プライマリー上り回線フィードバックチャネルは、６個の上り回線タイルからなり、そのうちのｍ番目の上り回線タイルは、下記の構造
【数１Ｇ】
2008526091.tif 000011
を有しており、
前記プライマリー上り回線フィードバックチャネルは、ｐビットペイロードを運搬するために用いられ、かつ、８直交（Ｑｕａｄｒａｔｕｒｅ）位相遷移キーイング（ＱＰＳＫ）シンボルを用いて直交変調され、
Ｍｎ，８ｍ＋ｋ（０≦ｋ≦７）は、ｎ番目のプライマリー上り回線フィードバックチャネルにおけるｍ番目の上り回線タイルのｋ番目のＱＰＳＫシンボルであり、
前記セカンダリー上り回線フィードバックチャネルは、６個の上り回線タイルからなり、そのうちのｍ番目の上り回線タイルは、下記の構造
【数１Ｈ】
2008526091.tif 000012
を有しており、
前記セカンダリー上り回線フィードバックチャネルは、ｑビットペイロード（ｑ＜ｐ）を運搬するために用いられ、かつ、ＱＰＳＫシンボルを用いて直交変調され、
Ｍｎ，４ｍ＋ｋ（０≦ｋ≦３）は、ｎ番目のセカンダリー上り回線フィードバックチャネルにおけるｍ番目の上り回線タイルのｋ番目のＱＰＳＫシンボルである、移動局。
【請求項１０】
前記ｐは、６である、請求項９に記載の移動局。
【請求項１１】
前記ｑは、４である、請求項９に記載の移動局。
【請求項１２】
前記セカンダリー上り回線フィードバックチャネルに対する前記４ビットペイロードは、下記の表のように前記上り回線タイルにマッピングされ、
【表１Ｅ】
2008526091.tif 000013
ここで、
【表１Ｆ】
2008526091.tif 000014
であり、ここで、
【数１Ｉ】
2008526091.tif 000015
である、請求項１１に記載の移動局。
【請求項１３】
直交周波数分割多重化（ＯＦＤＭ）無線通信システムにおいてフィードバック情報を受信するように構成された基地局であって、
前記基地局は、プロセッサと、前記プロセッサの制御下で外部との間で無線信号を転送及び受信する無線周波数（ＲＦ）モジュールとを備え、
前記プロセッサは、
上り回線フィードバックチャネルと関連した情報を移動局に転送することと、
前記情報を用いて前記移動局からプライマリー上り回線フィードバックチャネル及びセカンダリー上り回線フィードバックチャネルを受信することと、を行うように構成され、
前記情報は、前記プライマリー上り回線フィードバックチャネル及び前記セカンダリー上り回線フィードバックチャネルに対する制御パラメータを含み、
前記プライマリー上り回線フィードバックチャネルは、６個の上り回線タイルからなり、そのうちのｍ番目の上り回線タイルは、下記の構造
【数１Ｊ】
2008526091.tif 000016
を有しており、
前記プライマリー上り回線フィードバックチャネルは、ｐビットペイロードを運搬するために用いられ、かつ、８直交（Ｑｕａｄｒａｔｕｒｅ）位相遷移キーイング（ＱＰＳＫ）シンボルを用いて直交変調され、
Ｍｎ，８ｍ＋ｋ（０≦ｋ≦７）は、ｎ番目のプライマリー上り回線フィードバックチャネルにおけるｍ番目の上り回線タイルのｋ番目のＱＰＳＫシンボルであり、
前記セカンダリー上り回線フィードバックチャネルは、６個の上り回線タイルからなり、そのうちのｍ番目の上り回線タイルは、下記の構造
【数１Ｋ】
2008526091.tif 000017
を有しており、
前記セカンダリー上り回線フィードバックチャネルは、ｑビットペイロード（ｑ＜ｐ）を運搬するために用いられ、かつ、ＱＰＳＫシンボルを用いて直交変調され、
Ｍｎ，４ｍ＋ｋ（０≦ｋ≦３）は、ｎ番目のセカンダリー上り回線フィードバックチャネルにおけるｍ番目の上り回線タイルのｋ番目のＱＰＳＫシンボルである、基地局。
【請求項１４】
前記ｐは、６である、請求項１３に記載の基地局。
【請求項１５】
前記ｑは、４である、請求項１３に記載の基地局。
【請求項１６】
前記セカンダリー上り回線フィードバックチャネルに対する前記４ビットペイロードは、下記の表のように前記上り回線タイルにマッピングされ、
【表１Ｇ】
2008526091.tif 000018
ここで、
【表１Ｈ】
2008526091.tif 000019
であり、ここで、
【数１Ｌ】
2008526091.tif 000020
である、請求項１５に記載の基地局。
【誤訳訂正２】
【訂正対象書類名】明細書
【訂正対象項目名】全文
【訂正方法】変更
【訂正の内容】
【発明の詳細な説明】
【発明の名称】広帯域無線接続システムにおける非コヒーレント検出可能な信号通信
【技術分野】
【０００１】
本発明は、広帯域無線接続システム、特に、直交周波数分割多重化（ＯＦＤＭ）接続システムで使用できる非コヒーレント検出可能な信号の通信に関する。
【背景技術】
【０００２】
複数の使用者が同時に制限された無線資源を使用できるようにするには、多重化（ｍｕｌｔｉｐｌｅｘｉｎｇ）手法が要求される。多重化手法は、単一のラインまたは転送経路を、同時に個々の独立した信号を送信／受信できるような複数のチャネルに分ける。例えば、単一のラインを複数個の周波数帯域に分けて信号多重化を行う周波数分割多重化（ＦＤＭ）手法、及び、単一のラインを複数個の非常に短い時間間隔に分けて信号多重化を行う時間分割多重化（ＴＤＭ）手法のような様々な多重化手法がある。
【０００３】
現在、移動通信におけるマルチメディアデータの要求増大に伴い、效率的に多量のデータを転送する多重化方法が要求されている。多重化方法の代表には直交周波数分割多重化（ＯＦＤＭ）手法がある。
【０００４】
ＯＦＤＭ手法とは、帯域幅当たりの転送率を向上させ、且つ、多重経路干渉が発生するのを防止できるデジタル変調手法のことをいう。ＯＦＤＭ手法は、それぞれ相互に直交する複数個の副搬送波を使用する多重副搬送波変調手法として機能することに特徴がある。したがって、個々の副搬送波の周波数成分が相互間にオーバーラップ（ｏｖｅｒｌａｐ）されても、ＯＦＤＭ手法には何ら問題もない。ＯＦＤＭ手法は、一般の周波数分割多重化（ＦＤＭ）手法に比べてより多い副搬送波の多重化を行うことができる。したがって、高い周波数使用効率が実現される。
【０００５】
上記のＯＦＤＭ手法に基づく移動通信システムは現在、複数の使用者に無線資源を割り当てることができる様々な多重接続手法を使用しており、例えば、ＯＦＤＭ−ＦＤＭＡ(ＯＦＤＭＡ)手法、ＯＦＤＭ−ＴＤＭＡ手法及びＯＦＤＭ−ＣＤＭＡ手法などが挙げられる。特に、ＯＦＤＭＡ（直交周波数分割多重接続）手法は、複数の使用者を収容できるようにすべての副搬送波の一部分を個々の使用者に割り当てる。
【０００６】
図１は、関連技術による無線資源を割り当てる方法を示す図である。図１を参照すると、広帯域無線接続システムは、ＯＦＤＭＡ上り回線無線資源を割り当てる基本単位として図１の特定の構成を含む。図１に示す特定の構成は、タイル（ｔｉｌｅ）構造と呼ばれる。このタイル構造では、チャネル品質指示チャネル（ＣＱＩＣＨ）のデータまたは承認チャネル（ＡＣＫＣＨ）のデータは、複数のデータ副搬送波１０２，１０３，１０５，１０６，１０７，１０８，１１０及び１１１を通して転送される。パイロットチャネルは、パイロット副搬送波１０１，１０４，１０９及び１１２を通して転送される。タイル構造を通して転送された各副搬送波は、タイル構造の構成単位と呼ばれる。
【発明の開示】
【発明が解決しようとする課題】
【０００７】
本発明は、直交周波数分割多重化（ＯＦＤＭ）接続システムで使用するための非コヒーレント検出可能な信号を通信することを指向する。
【課題を解決するための手段】
【０００８】
本発明の付加的な特徴及び利点は、部分的には以下の説明で展開され、部分的には当該技術分野における当業者にとっては、以下の説明に対する考察から明白になるか、本発明の実施から明らかになる。
【０００９】
本発明の上記の目的と付加的な利点は、添付図面の他に、下記の詳細な説明及び請求範囲で明確になる構造によって実現及び獲得可能である。
【００１０】
このような付加的な特徴及び利点を獲得し、本発明の目的を達成するために、具体化され且つ広範囲に説明されたように、本発明は、直交周波数分割多重化（ＯＦＤＭ）を使用する無線通信システム内で無線資源を割り当てる方法内で具現される。この方法は、基地局から無線資源割当マップと関連したデータを移動局で受信する段階を含み、ここで、前記無線割当マップは、上り回線チャネルを転送するために制御パラメータを含み、前記上り回線チャネルはｎビットデータペイロードの少なくとも一部分を表すことと関連した副搬送波の１番目のセット及びノンパイロット（ｎｏｎ−ｐｉｌｏｔ）ｍビットデータペイロードの少なくとも一部分を表すことと関連した副搬送波の２番目のセットを含む１つ以上のＯＦＤＭタイルを含み、前記副搬送波は変調されたデータを運搬し、前記副搬送波の１番目のセット及び２番目のセットが相互排他的であることを特徴とし、前記移動局から前記基地局に上り回線チャネルを転送する段階を含む。
【００１１】
好ましくは、上り回線チャネルは、ｘ軸は時間領域を表し、ｙ軸は周波数領域を表す下図のようなプライマリー（ｐｒｉｍａｒｙ）のタイルを含んでなる。
【００１２】
【数１Ｍ】
2008526091.tif 000021
好ましくは、上り回線チャネルは、ｘ軸は時間領域を表し、ｙ軸は周波数領域を表す下図のようなセカンダリーのタイルをさらに含んでなる。
【００１３】
【数１Ｎ】
2008526091.tif 000022
本発明の一面は、副搬送波の１番目及び２番目のセットのうちのいずれかの利用と関連した情報が正常（ｎｏｒｍａｌ）マップ情報要素を用いて移動局で受信される。
【００１４】
本発明の他の面は、副搬送波の１番目及び２番目のセットのうちのいずれかの利用と関連した情報がＨＡＲＱマップ情報要素を用いて移動局で受信される。
【００１５】
好ましくは、副搬送波の１番目のセットは、６ビットデータペイロードの少なくとも一部分を表すことと関連している。好ましくは、副搬送波の２番目のセットは、４ビットデータペイロードの少なくとも一部分を表すことと関連している。
【００１６】
本発明のさらに他の面は、上り回線チャネルは、チャネル品質情報、アンテナ選択オプション及びプリコーディング行列コードブックのうちの１つを転送することと関連している。
【００１７】
好ましくは、前記上り回線チャネルは、ファスト下り回線測定、ＭＩＭＯモード、アンテナグルーピング、アンテナ選択、減少されたコードブック、量子化された（ｑｕａｎｔｉｚｅｄ）プリコーディング加重（ｗｅｉｇｈｔ）フィードバック、コードブック内のプリコーディング行列に対するインデックス、チャネル行列情報及びストリーム当たり（ｐｅｒ  ｓｔｒｅａｍ）の電力制御のうちの１つを転送することと関連している。
【００１８】
好ましくは、前記ｍビットデータペイロードの少なくとも一部分を転送するための副搬送波の２番目のセットの利用は、前記基地局または前記移動局のいずれかによって要請される。
【００１９】
好ましくは、６つのＯＦＤＭタイルは４ビットデータペイロードを表すための１つのＯＦＤＭスロットを含み、該４ビットデータペイロードは、下記のように表される。
【００２０】
【表１Ｉ】
2008526091.tif 000023
上記の表中のベクトルインデックスは、下のように表される。
【００２１】
【表１Ｊ】
2008526091.tif 000024
本発明の他の実施例によれば、直交周波数分割多重化（ＯＦＤＭ）を用いる無線通信システムで無線資源を割り当てる方法において、無線資源割当マップと関連したデータを移動局に転送する段階及び前記移動局から上り回線チャネルを受信する段階を含み、ここで、前記無線割当マップは、前記上り回線チャネルを受信するための制御パラメータを含み、前記上り回線チャネルは、ｎビットデータペイロードの少なくとも一部分を表すことと関連した副搬送波の１番目のセット及びノンパイロットｍビットデータペイロードの少なくとも一部分を表すことと関連した副搬送波の２番目のセットを含む１つ以上のＯＦＤＭタイルを含み、前記それぞれの副搬送波は変調されたデータを運搬し、前記副搬送波の１番目と２番目のセットは相互排他的（ｅｘｃｌｕｓｉｖｅ）であることを特徴とする無線資源割当方法が提供される。
【００２２】
本発明の他の実施例によれば、直交周波数分割多重化（ＯＦＤＭ）を用いる無線通信システムで無線資源を割り当てる移動通信装置は、基地局から無線資源割当マップと関連したデータを受信する受信器及び前記移動通信装置から前記基地局に上り回線チャネルを転送する送信器を含み、ここで、前記無線割当マップは、前記上り回線チャネルを転送するための制御パラメータを含み、前記上り回線チャネルはｎビットデータペイロードの少なくとも一部分を表すことと関連した副搬送波の１番目のセット及びノンパイロットｍビットデータペイロードの少なくとも一部分を表すことと関連した副搬送波の２番目のセットを含む１つ以上のＯＦＤＭタイルを含み、前記それぞれの副搬送波は変調されたデータを運搬し、前記副搬送波の１番目と２番目のセットは相互排他的（ｅｘｃｌｕｓｉｖｅ）てあることを特徴とする無線通信装置が提供される。
【００２３】
上記の本発明に関する一般的な説明と下記の詳細な説明はいずれも例示的で説明的なもので、請求したような本発明に関する追加的説明が提供されることは明らかである。
【産業上の利用可能性】
【００２４】
本発明は、広帯域無線接続システムに適用可能である。
【発明を実施するための最良の形態】
【００２５】
本発明は、直交周波数分割多重化（ＯＦＤＭ）を使用する無線通信システムで無線資源を割り当てることに関するものである。
【００２６】
以下、添付の図面を参照して本発明の好適な実施例について詳細に説明する。図面中、同一の構成要素には可能な限り同一の参照番号を付する。
【００２７】
好ましくは、本発明は、ＩＥＥＥ８０２．１６で発表されたシステムのような広帯域無線接続システムに適用されるが、これに限定されず、本発明は他のタイプの無線接続システムにも適用可能である。
【００２８】
典型的には、チャネル測定は、コヒーレント検出手法がデータ副搬送波のために用いられるように、パイロット副搬送波に基づいてデータ副搬送波上で行われる。しかし、ＡＣＫＣＨまたはＣＱＩＣＨは、チャネル測定を行うことなく非コヒーレント検出手法を使用する。一方、このＡＣＫＣＨまたはＣＱＩＣＨは、非コヒーレント検出手法を具現するために直交コードワード（ｃｏｄｅ  ｗｏｒｄｓ）を使用する。
【００２９】
下記の表１は、１ビットのＡＣＫ情報が提供される際にＡＣＫＣＨ副搬送波を変調するためのコードワードを例示したものである。
【００３０】
【表１】
2008526091.tif 000025
下記の表２は、６ビットのＣＱＩ情報が提供される際にＣＱＩＣＨ副搬送波を変調するためのコードワードを例示するものである。
【００３１】
【表２】
2008526091.tif 000026
下記の表３は、５ビットのＣＱＩ情報が提供される際にＣＱＩＣＨ副搬送波を変調するためのコードワードを例示するものである。
【００３２】
【表３】
2008526091.tif 000027
下記の表４は、４ビットのＣＱＩ情報が提供される際にＣＱＩＣＨ副搬送波を変調するためのコードワードを例示するものである。
【００３３】
【表４】
2008526091.tif 000028
表４を参照すると、信号が８データ副搬送波によって転送されうるように各タイルのベクトルは８直交（Ｑｕａｄｒａｔｕｒｅ）位相遷移キーイング（ＱＰＳＫ）シンボルを含む。
【００３４】
【表５】
2008526091.tif 000029
表５を参照すると、Ｐ０、Ｐ１、Ｐ２及びＰ３は、下記の式１で表される。
【００３５】
【数１】
2008526091.tif 000030
単一の副チャネルは６個のタイルを含む。ＣＱＩＣＨは単一の副チャネルを使用することができ、ＡＣＫＣＨは副チャネルの半分を使用することができる。換言すると、ＣＱＩＣＨは６個のタイルを使用することができ、ＡＣＫＣＨは３個のタイルを使用することができる。
【００３６】
図２は、本発明の一実施例によるＯＦＤＭ上り回線内でＣＱＩＣＨ（チャネル品質指示チャネル）領域とＡＣＫＣＨ（承認チャネル）領域を割り当てる方法を示す図である。図２を参照すると、上り回線の２次元マップの一部領域はＡＣＫＣＨ専用（ｄｅｄｉｃａｔｅｄ）領域２０１に先割り当てられ、それ以外の残りの領域はＣＱＩＣＨ専用領域２０２に先割り当てられる。
【００３７】
それぞれの副チャネルは、特定のＭＳＳ（Ｍｏｂｉｌｅ  Ｓｕｂｓｃｒｉｂｅｒ  Ｓｔａｔｉｏｎ）がＡＣＫＣＨ専用領域２０１及びＣＱＩＣＨ専用領域２０２を使用できるようにＡＣＫＣＨ専用領域２０１及びＣＱＩＣＨ専用領域２０２に割り当てられる。図２を参照すると、ＭＳＳ＃１はＡＣＫ＃１に割り当てられることができ、ＭＳＳ＃２はＡＣＫ＃２に割り当てられることができ、…、ＭＳＳ＃８はＡＣＫ＃８に割り当てられることができ、ＭＳＳ＃９はＣＱＩＣＨ＃１に割り当てられることができ、ＭＳＳ＃１０はＣＱＩＣＨ＃２及びＣＱＩＣＨ＃３に割り当てられることができ、ＭＳＳ＃１１はＣＱＩＣＨ＃４に割り当てられることができる。
【００３８】
基地局が非コヒーレント検出手法を使用すると、パイロット副搬送波を使用する必要がない。この場合には、各タイルに割り当てられた４パイロット副搬送波を使用する必要がなく、上り回線の無線資源とターミナル（Ｔｅｒｍｉｎａｌ）の転送電力が余分に消耗されることがない。
【００３９】
したがって、新しい情報は、パイロットチャネルに割り当てられた副搬送波上に載せられ、ＣＱＩＣＨまたはＡＣＫＣＨと同じ方式で非コヒーレント検出手法に基づく特定の情報が、パイロット信号を備えた通常（Ｃｏｎｖｅｎｔｉｏｎａｌ）の副搬送波によって転送されうるように、以降ＣＱＩＣＨ及びＡＣＫＣＨタイル構造に転送される。
【００４０】
図３は、本発明の一実施例によるパイロット信号を転送してきた副搬送波を用いて新しい信号が転送される時のタイル構造を示す図である。図３を参照すると、新しい信号は副搬送波３０１，３０４，３０９及び３１２によって転送されることができる。これらの副搬送波はパイロット信号を転送するのに用いられる。
【００４１】
上述のように、前記新しい信号がＣＱＩＣＨ及びＡＣＫＣＨのためのタイル構造内でパイロット信号を送信していた副搬送波上に載せられると、各パイロット信号を送信していた前記副搬送波は、付加的な副搬送波と呼ばれる。単位タイル構造のグルーピング（ｇｒｏｕｐｉｎｇ）によって形成された前記付加的な副搬送波が用いられると、プライマリー（ｐｒｉｍａｒｙ）のＡＣＫＣＨ及びプライマリーのＣＱＩＣＨではなくセカンダリー（ｓｅｃｏｎｄａｒｙ）のＣＱＩＣＨ及びセカンダリーのＡＣＫＣＨが獲得されることができる。
【００４２】
図４は、本発明の一実施例によるＣＱＩＣＨタイル構造からセカンダリーのＣＱＩＣＨを獲得する方法を示す図である。図４を参照すると、単一のＣＱＩＣＨは６個のタイル単位（１サブチャネル）を含み、２４個の付加的な副搬送波が全て各ＣＱＩＣＨから獲得されうるように、４個の付加的な副搬送波は各タイル単位から獲得されることができる。一方、ＡＣＫＣＨまたはセカンダリーのＣＱＩＣＨは３個のタイル単位（１／２副チャネル）を含むことができ、各タイル単位は、単一のＡＣＫＣＨまたはセカンダリーのＣＱＩＣＨが２４個の副搬送波を用いて構築されるように、８個の副搬送波を含む。したがって、単一のＡＣＫＣＨ（すなわち、前記セカンダリーのＡＣＫＣＨ）またはセカンダリーのＣＱＩＣＨは、単一のＣＱＩＣＨから獲得できる２４個の付加的な副搬送波を使用して構築されることができる。
【００４３】
図５は、本発明の一実施例による２つのＡＣＫＣＨタイル構造からセカンダリーのＡＣＫＣＨを獲得する方法を示す図である。図５を参照すると、単一のＡＣＫＣＨは３タイル単位を含むことができて、２個のＡＣＫＣＨから２４個の付加的な副搬送波が全て獲得されうるように、４個の付加的な副搬送波が各タイル単位から獲得されることができる。一方、単一のＡＣＫＣＨ（すなわち、前記セカンダリーのＡＣＫＣＨ）は、付加的な副搬送波が２個のＡＣＫＣＨを含むグループから獲得される時に構築されるように、図５に示すように２４個の副搬送波を用いて構築されることができる。
【００４４】
図６は、本発明の一実施例による２つのＣＱＩＣＨタイル構造からセカンダリーのＣＱＩＣＨを獲得する方法を示す図である。図６を参照すると、２個のＣＱＩＣＨから合計４８個の付加的な副搬送波が獲得されるように、各ＣＱＩＣＨは６個のタイル単位を含むことができ、前記各タイル単位から４個の付加的な副搬送波が獲得される。一方、ＣＱＩＣＨはまた、単一のＣＱＩＣＨが４８個の副搬送波を用いて構築されうるように６個のタイル単位を含み、前記各タイル単位は８個の副搬送波を含む。したがって、単一のＣＱＩＣＨ（すなわち、セカンダリーのＣＱＩＣＨ）は２個のＣＱＩＣＨから獲得されうる４８個の付加的な副搬送波を用いて構築されることができる。
【００４５】
図７は、本発明の一実施例による４個のＡＣＫＣＨタイル構造からセカンダリーのＣＱＩＣＨを獲得する方法を示す図である。図７を参照すると、単一のＡＣＫＣＨは４個のＡＣＫＣＨらから合計４８個の付加的な副搬送波が獲得されうるように３個のタイル単位を含むことができ、前記各タイル単位から４個の付加的な副搬送波が獲得されることができる。一方、ＣＱＩＣＨは、単一のＣＱＩＣＨが４８個の副搬送波を用いて構築されうるように６個のタイル単位を含むことができ、各タイル単位は８個の副搬送波を含む。したがって、単一のＣＱＩＣＨ（すなわち、セカンダリーのＣＱＩＣＨ）は４個のＡＣＫＣＨから獲得されうる４８個の付加的な副搬送波を用いて構築されることができる。
【００４６】
好ましくは、次の方法は副搬送波にコードワードを割り当てるように構成されることができる。本発明の１番目の好ましい実施例によれば、下記の表６乃至９に表されるように、単一のＣＱＩＣＨまたは２個のＡＣＫＣＨ中に含まれる１２個のタイルは６個のセットにグループ化でき、該各グループは２個のタイルを含み、コードワードが割り当てられることができる。
【００４７】
下記の表６は、１ビットのＡＣＫ情報が提供される際にセカンダリーのＡＣＫＣＨ副搬送波を変調するためにコードワードを割り当てる方法を例示している。
【００４８】
【表６】
2008526091.tif 000031
下記の表７は、６ビットのＣＱＩ情報が提供される際にＣＱＩＣＨ副搬送波を変調するためにコードワードを割り当てる方法を例示している。
【００４９】
【表７】
2008526091.tif 000032
下記の表８は、５ビットのＣＱＩ情報が提供される際にＣＱＩＣＨ副搬送波を変調するためのコードワードを例示している。
【００５０】
【表８】
2008526091.tif 000033
下記の表９は、４ビットのＣＱＩ情報が提供される際にＣＱＩＣＨ副搬送波を変調するためのコードワードを例示している。
【００５１】
【表９】
2008526091.tif 000034
一方、本発明の第２の好ましい実施例によれば、下記の表１０及び１１に表すように、コードワードは単一のＣＱＩＣＨまたは２個のＡＣＫＣＨ中に含まれた１２個タイルのそれぞれに割り当てられることができる。
【００５２】
下記の表１０は、１ビットのＡＣＫ情報が提供される際にセカンダリーのＡＣＫＣＨ副搬送波を変調するためにコードワードを割り当てる方法を例示している。
【００５３】
【表１０】
2008526091.tif 000035
【００５４】
【表１１】
2008526091.tif 000036
表１１に表されたコードワード割当に適用されるタイルの付加的な副搬送波が、図８に示されている。
【００５５】
図８は、本発明の一実施例による付加的な副搬送波を用いてコードワードを割り当てる方法で使用するタイル構造を示している。
【００５６】
図８及び下記の表１２を参照すると、各タイルに割り当てられたベクトルは、４個の付加的な副搬送波を通して信号転送を行うために４個の変調シンボルを含む。
【００５７】
【表１２】
2008526091.tif 000037
セカンダリーのＡＣＫＣＨは、パイロットチャネルに割り当てられた２４個の副搬送波を用いて構築されることができる。２４個のパイロット副搬送波を用いてＡＣＫＣＨを構築する方法は、図９及び図１０に例示する方法の以外に様々な方式によって付加的な副搬送波で具現されることができる。
【００５８】
セカンダリーのＡＣＫＣＨは３個のタイルを用いて構成されることができる。下記の表１３は、上記したセカンダリーのＡＣＫＣＨが３個のタイルを含む場合に利用可能なコードワードを例示している。
【００５９】
【表１３】
2008526091.tif 000038
セカンダリーのＣＱＩＣＨは４８個のパイロット副搬送波を用いて構築されることができる。４８個のパイロット副搬送波を用いてＡＣＫＣＨを構築するための方法は、図６及び図７に例示した方法の以外に様々な方式によって付加的な副搬送波で具現されることができる。
【００６０】
セカンダリーのＣＱＩＣＨは６個のタイルを用いて構成されることができる。下記の表１４は、上記したセカンダリーのＣＱＩＣＨが６個のタイルを含む場合に適用可能なコードワードを例示している。
【００６１】
【表１４】
2008526091.tif 000039
一方、新しいコードワードは、下記の表１５に表すように、二進位相遷移キーイング（ＢＰＳＫ）を用いて構築されることができる。
【００６２】
【表１５】
2008526091.tif 000040
基地局は、セカンダリーのＡＣＫＣＨと関連した情報を移動加入者局（ＭＳＳ）に知らせるために下記の表１６に表すメッセージを使用することができる。
【００６３】
【表１６】
2008526091.tif 000041
表１６によれば、前記“ＵＬ−ＭＡＰタイプ”フィールド及び“サブタイプ”フィールドは、ＭＳＳにメッセージタイプ情報を知らせるように変更されることができる。換言すると、前記ＭＳＳは、上述の“ＵＬ−ＭＡＰタイプ”及び“サブタイプ”フィールドを参照することによって対応するメッセージの内容情報を認識できる。一方、“長さ”フィールドは、前記ＭＳＳにバイト単位の“長さ”フィールドを含む全体メッセージの大きさ情報を知らせる。
【００６４】
“プライマリー／セカンダリーのＨ−ＡＲＱ領域指示”フィールドは、現在フレームの持つＨ−ＡＲＱ領域が過去のフレームのＨ−ＡＲＱ領域と異なる、または、前記同一のフレーム内に他のＨ−ＡＲＱ領域が存在すると１の値を持つ。“ＯＦＤＭＡシンボルオフセット”フィールドは、前記ＭＳＳに“Ｈ−ＡＲＱ”領域が上り回線から始まる座標（ｃｏｏｒｄｉｎａｔｅｓ）をシンボル単位に知らせる。“サブチャネルオフセット”分野は、前記ＭＳＳに“Ｈ−ＡＲＱ”領域が上り回線から始まる座標（ｃｏｏｒｄｉｎａｔｅｓ）をサブチャネル単位に知らせる。“Ｎｏ．ＯＦＤＭＡ  ｓｙｍｂｏｌｓ”分野は、ＭＳＳに上り回線で“Ｈ−ＡＲＱ”領域によって占有された大きさ情報をシンボル単位に知らせる。“Ｎｏ．Ｓｕｂ−ｃｈａｎｎｅｌｓ”分野は、ＭＳＳに上り回線で“Ｈ−ＡＲＱ”領域によって占有された大きさ情報をサブチャネル単位に知らせる。
【００６５】
一方、基地局は、セカンダリーのＣＱＩＣＨと関連した情報をＭＳＳに知らせるために下記の表１７に表すメッセージを使用することができる。
【００６６】
【表１７】
2008526091.tif 000042
表１７によれば、“ＵＬ−ＭＡＰタイプ”フィールド及び“サブタイプ”フィールドは、ＭＳＳにメッセージタイプ情報を知らせるために変更されることができる。換言すると、前記ＭＳＳは、上述の“ＵＬ−ＭＡＰタイプ”と“サブタイプ”フィールドを参照することによってメッセージ内容情報を認識できる。一方、“長さ”フィールドは、ＭＳＳにバイト単位に“長さ”フィールドを含めた全体メッセージの大きさ情報を知らせる。
【００６７】
“プライマリー／セカンダリーのＣＱＩＣＨ領域指示”フィールドは、現在フレームの持つＣＱＩＣＨ領域が過去のフレームのＣＱＩＣＨ領域と異なる、または、前記同一のフレーム内に他のＣＱＩＣＨ領域が存在すると１の値を持つ。“ＯＦＤＭＡシンボルオフセット”フィールドは、前記ＭＳＳに“ＣＱＩＣＨ”領域が上り回線から始まる座標（ｃｏｏｒｄｉｎａｔｅｓ）をシンボル単位に知らせる。“サブチャネルオフセット”フィールドは、前記ＭＳＳに“ＣＱＩＣＨ”領域が上り回線から始まる座標（ｃｏｏｒｄｉｎａｔｅｓ）をサブチャネル単位に知らせる。“Ｎｏ．ＯＦＤＭＡ  ｓｙｍｂｏｌｓ”分野は、ＭＳＳに上り回線で“ＣＱＩＣＨ”領域によって占有された大きさ情報をシンボル単位に知らせる。“Ｎｏ．Ｓｕｂ−ｃｈａｎｎｅｌｓ”フィールドは、ＭＳＳに上り回線で“ＣＱＩＣＨ”領域によって占有された大きさ情報をサブチャネル単位に知らせる。
【００６８】
本発明によるセカンダリーのＣＱＩＣＨを通して転送された情報は、フィードバックタイプに基づく様々な方式で用いられることができる。例えば、信号対雑音比（ＳＮＲ）と関連した情報が基地局に転送されると、当該情報のペイロードは下記の式２のように発生することができる。
【００６９】
【数２】
2008526091.tif 000043
一方、多重入力多重出力（ＭＩＭＯ）モードでは、下記の表１８に表されたペイロードが発生できる。
【００７０】
【表１８】
2008526091.tif 000044
下記の表１９は、表１８に表されたそれぞれの値に対応するアンテナグルーピング方法を例示している。
【００７１】
【表１９】
2008526091.tif 000045
下記の表２０は、表１８に表した個々の値に対応するアンテナ選択方法を例示している。
【００７２】
【表２０】
2008526091.tif 000046
下記の表２１は、表１８に表された個々の値に対応する減少されたプリコーディング行列コードブックを採用する方法を例示している。
【００７３】
【表２１】
2008526091.tif 000047
基地局は、“ＣＱＩＣＨ＿Ｅｎｈａｎｃｅｄ＿Ａｌｌｏｃ＿ＩＥ”フィールドを通してＭＳＳに上述のフィードバックタイプ情報と関連した情報を転送する。
【００７４】
下記の表２２及び表２３は、上述のフィードバックタイプ情報を含む“ＣＱＩＣＨ＿Ｅｎｈａｎｃｅｄ＿Ａｌｌｏｃ＿ＩＥ”の一部分を例示している。
【００７５】
【表２２】
2008526091.tif 000048
【００７６】
【表２３】
2008526091.tif 000049
一方、ＳＮＲと関連した情報が基地局に転送されるとすれば、本発明に関するセカンダリーのＣＱＩＣＨを通して転送された情報のペイロードは、下記の式３のように発生可能である。
【００７７】
【数３】
2008526091.tif 000050
基地局に単にＳＮＲ関連情報を転送できるフィードバックタイプと関連した情報は、“ＣＱＩＣＨ＿Ｅｎｈａｎｃｅｄ＿Ａｌｌｏｃ＿ＩＥ”フィールドを通してＭＳＳに転送される。
【００７８】
下記の表２４は、上述のフィードバックタイプ情報を含む“ＣＱＩＣＨ＿Ｅｎｈａｎｃｅｄ＿Ａｌｌｏｃ＿ＩＥ”フィールドの一部分を例示している。
【００７９】
【表２４】
2008526091.tif 000051
一方、セカンダリーのＣＱＩＣＨを通して転送された情報は、フィードバックタイプによって様々な方式で用いられることができる。すなわち、上述のセカンダリーのＣＱＩＣＨは、ＭＩＭＯモード選択のためにのみ用いられることができる。もしセカンダリーのＣＱＩＣＨがＭＩＭＯモード選択のためにのみ用いられると、ペイロードは下記の表２５のように発生することができる。
【００８０】
【表２５】
2008526091.tif 000052
下記の表２６は、表２５に表した個々の値に対応するアンテナグルーピング方法を例示している。
【００８１】
【表２６】
2008526091.tif 000053
下記の表２７は、表２５に表された個々の値に対応するアンテナグルーピング方法を例示している。
【００８２】
【表２７】
2008526091.tif 000054
下記の表２８は、表２５に表された個々の値に対応する減少されたプリコーディング行列コードブックを採用する方法を例示している。
【００８３】
【表２８】
2008526091.tif 000055
基地局は、“ＣＱＩＣＨ＿Ｅｎｈａｎｃｅｄ＿Ａｌｌｏｃ＿ＩＥ”フィールドを通してＭＳＳに上述のフィードバックタイプ情報と関連した情報を転送する。
【００８４】
下記の表２９は、上述のフィードバックタイプ情報を含む“ＣＱＩＣＨ＿Ｅｎｈａｎｃｅｄ＿Ａｌｌｏｃ＿ＩＥ”の一部分を例示している。
【００８５】
【表２９】
2008526091.tif 000056
セカンダリーのファストフィードバックチャネルの使用が基地局によってＭＳＳに要請されるが、ＭＳＳは、基地局に要請メッセージを送ることによって使用を要請するオプション（ｏｐｔｉｏｎ）を持つ。詳述の説明から明らかなように、本発明による広帯域無線接続システムで非コヒーレント検出可能な信号を受信する方法は、非コヒーレント検出手法によって信号検出が行えるときにパイロット信号の代わりに他の信号を転送でき、これによって増加された転送効率の実現が可能になる。
【００８６】
本発明が移動通信の状況（ｃｏｎｔｅｘｔ）内で説明されるが、本発明は、無線通信能力を揃えたＰＤＡ及びラップトップコンピュータのような移動機器を使用するいずれの無線通信システムにおいても使用可能である。
【００８７】
上記の好ましい実施例は、ソフトウェア、ファームウエア、ハードウェアまたはこれらのいずれの組み合わせを生産できる標準プログラミング及び／またはエンジニアリング技術を使用する方法、機構または製造物（ａｒｔｉｃｌｅ  ｏｆ  ｍａｎｕｆａｃｔｕｒｅ）として具現されることができる。ここで、製造物とは、ハードウェアロジック（ｌｏｇｉｃ）（すなわち、集積回路チップ、フィールドプログラム可能ゲートアレイ（ＦＰＧＡ）、注文型半導体等）またはコンピュータが読み取り可能媒体（ｍｅｄｉｕｍ）（磁気保存媒体（すなわち、ハードディスクドライブ、フロッピー（登録商標）ディスク、テープ等）、光保存体（ＣＤ−ＲＯＭ、光ディスク等）、揮発性及び不揮発性メモリ機器（すなわち、ＥＥＰＲＯＭ、ＲＯＭ、ＰＲＯＭ、ＲＡＭ、ＤＲＡＭ、ＳＲＡＭ、ファームウエア、プログラム可能ロジック等））内に具現されたコードまたはロジックのことをいう。
【００８８】
コンピュータ読み取り可能媒体内のコードはプロセッサ（ｐｒｏｃｅｓｓｏｒ）によって接続され実行される。好ましい実施例で具現されるコードは、転送媒体（ｍｅｄｉａ）またはネットワーク上のファイルサーバー（ｓｅｒｖｅｒ）からより一層接続可能である。これらの場合に、コードが具現される製造物は、ネットワーク転送ライン、無線転送媒体、空間を通して伝播される信号、無線波、赤外線信号などのような転送媒体を含むことができる。もちろん、当該技術分野における当業者にとっては、本発明の範囲を逸脱することなくこの構成に対して様々な修正ができることと、前記製造物が、関連技術における公知のいずれの情報を保有する媒体を含むことができるということは明らかである。
【００８９】
図９Ａ及び９Ｂは、本発明の一実施例による移動通信機器の送信器装置（ｕｎｉｔ）及び受信器装置の構造を示す図である。図９Ａを参照すると、送信器装置５００は、好ましくは、転送された信号を処理するためのプロセッサ５１０を含む。転送前に、データビットはチャネルゴーダ５２０でチャネルコーディングされ、リダンダンシ（ｒｅｄｕｎｄａｎｃｙ）ビットがデータビットに付加される。データビットは以降シンボルマッパー（ｍａｐｐｅｒ）５３０でＱＰＳＫまたは１６ＱＡＭのような方式で信号にマッピングされる。続いて、信号は、サブチャネル変調器５４０でサブチャネル変調され、前記信号はＯＦＤＭＡ副搬送波にマッピングされる。その後、ＯＦＤＭ波形化された信号は、逆ファストフーリエ（Ｆｏｕｒｉｅｒ）変換（ＩＦＦＴ）５５０を通して様々な副搬送波を結合することによって構築される。最後に、前記信号は、フィルタ（ｆｉｌｔｅｒ）５６０を通してフィルタリングされ、デジタル−アナログ変換器（ＤＡＣ）５７０によってアナログ信号に変換され、ＲＦモジュール（ｍｏｄｕｌｅ）５８０によって受信器に転送される。
【００９０】
図９Ｂを参照すると、本発明の受信器６００の構造は、送信器５００の構造に似ている。ただし、前記信号については逆処理が行われる。好ましくは、信号は、ＲＦモジュール６８０により受信され、続いてアナログ−デジタル変換器６７０によってデジタル信号に変換され、フィルタ６６０でフィルタリングされる。フィルタリング後に、前記信号については、波形化された信号を逆構築（ｄｅｃｏｎｓｔｒｕｃｔ）するべくファストフーリエトランスフォーム（ＦＦＴ）が行われる。該信号は以降、サブチャネル復調器６４０でサブチャネルに復調され、シンボルデマッパー（ｄｅｍａｐｐｅｒ）６３０によってシンボルデマッピングされ、処理のためのプロセッサ６１０に伝達される前にチャネルデゴーダ６２０によってチャネルデコーディングされる。
【００９１】
好ましくは、使用者が電話番号のような指示情報をキーパッドのボタンを押下する、または、マイクロホンを使用する音声活性（ｖｏｉｃｅ  ａｃｔｉｖａｔｉｏｎ）によって移動通信機器に入力すると、プロセッサ５１０または６１０は、電話番号をダイヤル（ｄｉａｌ）することのような適切な機能を行うために指示情報を受信して処理する。動作（ｏｐｅｒａｔｉｏｎａｌ）データは、機能を行うために保存装置から回収されることができる。また、プロセッサ５１０または６１０は、使用者の参考と便宜のために表示（ｄｉｓｐｌａｙ）装置上に指示情報または動作情報を表示できる。
【００９２】
プロセッサは、例えば、音声通信データを含む無線信号を転送することのような通信を始めるために、ＲＦモジュール５８０または６８０に指示情報を発生する。ＲＦモジュールは、無線信号を受信し転送するための受信器及び送信器を含む。アンテナは、無線信号等の転送と受信を行う。無線信号を受信すると、ＲＦモジュールは、プロセッサによって処理するために信号を伝達して基底帯域周波数に変換する。これらの処理された信号は、例えば、スピーカから出力された聴取可能または読み取り可能な情報に変換されることができる。
【００９３】
プロセッサは、他の使用者によって受信される、または、他の使用者に転送されるメッセージのメッセージ履歴（ｈｉｓｔｏｒｙ）データを保存し、使用者によるメッセージ履歴データ入力の条件付き要請を受信し、前記保存装置から条件付き要請に対応するメッセージ履歴データを読み取るように条件付き要請を処理し、表示装置にメッセージ履歴データを出力するように構成される。前記保存装置は、受信したメッセージ及び転送されたメッセージのメッセージ履歴データを保存するように構成される。
【００９４】
当該技術分野における熟練した者にとっては、本発明の本質や範囲を逸脱することなく本発明に対する様々な修正及び変形が可能であるということは明らかである。したがって、本発明は、添付の請求範囲及びその均等範囲内における様々な修正及び変形実施も含むことは当然である。
【図面の簡単な説明】
【００９５】
【図１】関連技術による無線資源を割り当てる方法を示す図である。
【図２】本発明の一実施例によるＯＦＤＭ上り回線内のＣＱＩＣＨ（チャネル品質指示チャネル）領域及びＡＣＫＣＨ（承認チャネル）領域を割り当てるための方法を示す図である。
【図３】本発明の一実施例によるパイロット信号を転送した副搬送波を用いて新しい信号が送信される時のタイル構造を示す図である。
【図４】本発明の一実施例によるＣＱＩＣＨタイル構造からセカンダリーのＡＣＫＣＨを獲得する方法を示す図である。
【図５】本発明の一実施例による２つのＡＣＫＣＨタイル構造からセカンダリーのＡＣＫＣＨを獲得する方法を示す図である。
【図６】本発明の一実施例による２つのＣＱＩＣＨタイル構造からセカンダリーのＣＱＩＣＨを獲得する方法を示す図である。
【図７】本発明の一実施例による４つのＡＣＫＣＨタイル構造からセカンダリーＣＱＩＣＨを獲得する方法を示す図である。
【図８】本発明の一実施例による付加的な副搬送波を用いるコードワード（ｃｏｄｅｗｏｒｄ）を割り当てる方法で使用するためのタイル構造を示す図である。
【図９Ａ】本発明の一実施例による移動通信装置の転送器装置（Ｕｎｉｔ）と受信器装置の構造を示す図である。
【図９Ｂ】本発明の一実施例による移動通信装置の転送器装置（Ｕｎｉｔ）と受信器装置の構造を示す図である。
【誤訳訂正３】
【訂正対象書類名】図面
【訂正対象項目名】図４
【訂正方法】変更
【訂正の内容】
【図４】
2008526091.tif 000057